(57)【特許請求の範囲】
【請求項１】
器具本体を手で持つ部分である把持部となり且つモータを備えた本体ブロックと、駆動ブロックとで構成し、駆動ブロックを本体ブロックに対して着脱自在に取り付け、開閉駆動されて毛を挟持する挟持要素を備えて毛を引き抜くための回転自在な脱毛ヘッドを有する複数の脱毛ブロックを駆動ブロックにそれぞれ独立して取り付け可能として脱毛範囲を可変可能としたものであって、本体ブロックに駆動ブロックを取り付けた状態で、本体ブロックに設けたモータにより回転するギアに駆動ブロックに設けた駆動ギアを着脱自在に噛み合わせ、駆動ブロックに該駆動ギアの回転により回転する一つの共通のギアを設け、該駆動ブロックに設けた一つの共通のギアに、複数の脱毛ブロックに設けた脱毛ヘッドを回転させるためのギアをそれぞれ独立して着脱自在に噛み合わせ可能として成ることを特徴とする脱毛装置。
【請求項２】
同一方向回転と異方向回転とを脱毛ヘッドの着脱により構成して成ることを特徴とする請求項１記載の脱毛装置。
【請求項３】
脱毛ヘッドに設けた回転伝達のためのギアを同一垂直線上に位置させて成ることを特徴とする請求項１記載の脱毛装置。
【請求項４】
脱毛ヘッドの一つに代えてシェーバーを着脱自在として成ることを特徴とする請求項１記載の脱毛装置。
【発明の詳細な説明】
【０００１】
【発明の属する技術分野】
本発明は、美容などの目的のために体毛を除毛するために使用される脱毛装置に関するものである。
【０００２】
【従来の技術】
従来から脱毛ブロックにトリマーが着脱自在となったものとして特開平４−１２６４０３号が知られている。これは固定された脱毛ブロックにトリマーのみが着脱自在となったものである。また、ブロックの着脱自在な脱毛装置として、特開平１−２９７００２号がある。これは別の脱毛ヘッドが着脱可能となっている。
【０００３】
上記の脱毛装置は、同一方向脱毛であるため、腕、足等の毛が同一方向に生えている部位では効率よく脱毛できるが、腋等の毛が異方向に生えている部位では、一方向しか脱毛しないために抜き残しが多く、そのため器具を持ち替えて使用しなければならず、使い勝手が悪くなる。また、脱毛ヘッドが着脱できず、更に、１ヘッドであるため毛の量や処理面積に応じて脱毛ヘッド数が選べないため、毛の量に応じた効率よい脱毛ができず、また、脱毛できない短毛をカットできないので綺麗に効率よい脱毛ができないという問題がある。
【０００４】
また、常に異方向に回転して脱毛するものにおいては、腋等の毛が異方向に生えているいる部位では効率よく脱毛できるが、腕、足等の毛が同一方向に生えている部位では、毛の導入が悪く、抜き残しや毛切れが多くなり、更に、毛の量や処理面積に応じてヘッド数が選べず、常に大きな負荷がかかるという問題がある。
【０００５】
【発明が解決しようとする課題】
本発明は上記の従来例の問題点に鑑みて発明したものであって、脱毛しようとする部位の毛の量や、処理面積に応じて最適な脱毛ヘッドの状態が選べ、抜き残しや毛切れが少なく、余分な負荷がかからず、使い勝手がよい脱毛装置を提供することを課題とし、また、脱毛と除毛とが一度にでき、仕上がりが綺麗で効率よく、使い勝手のよい脱毛装置を提供することを課題とするものである。
【０００６】
【課題を解決するための手段】
上記課題を解決するために、本発明の脱毛装置は、器具本体を手で持つ部分である把持部となり且つモータを備えた本体ブロックと、駆動ブロックとで構成し、駆動ブロックを本体ブロックに対して着脱自在に取り付け、開閉駆動されて毛を挟持する挟持要素を備えて毛を引き抜くための回転自在な脱毛ヘッドを有する複数の脱毛ブロックを駆動ブロックにそれぞれ独立して取り付け可能として脱毛範囲を可変可能としたものであって、本体ブロックに駆動ブロックを取り付けた状態で、本体ブロックに設けたモータにより回転するギアに駆動ブロックに設けた駆動ギアを着脱自在に噛み合わせ、駆動ブロックに該駆動ギアの回転により回転する一つの共通のギアを設け、該駆動ブロックに設けた一つの共通のギアに、複数の脱毛ブロックに設けた脱毛ヘッドを回転させるためのギアをそれぞれ独立して着脱自在に噛み合わせ可能として成ることを特徴とするものである。このような構成とすることで、毛の量や処理面積が多いときには多数の脱毛ヘッドを用いて早く脱毛し、また腋やひざまわりなどの窪んだ部位においては脱毛ヘッドの数を少なくして肌に密着させて脱毛する。また、毛の量が少ないときには脱毛ヘッドの数を少なくして使用することができる。また、一つの共通ギアを介して、着脱自在なそれぞれの脱毛ヘッドを駆動させるので、簡単な構造で脱毛ヘッドに駆動伝達ができ、また、着脱を容易にできる。
【０００７】
また、同一方向回転と異方向回転とを脱毛ヘッドの着脱により構成することが好ましい。このような構成とすることで、脱毛ヘッドの着脱により簡単に部位に応じた最適な脱毛ヘッドで効率よく脱毛することができる。
【０００８】
また、脱毛ヘッドに設けた回転伝達のためのギアを同一垂直線上に位置させることが好ましい。このような構成とすることで、脱毛ヘッドの幅を狭くできるものである。
【０００９】
また、脱毛ヘッドの一つに代えてシェーバーを着脱自在とすることが好ましい。このような構成とすることで、脱毛ヘッドで脱毛するだけでなく、脱毛できない短い毛をシェーバーでカットすることができる。
【００１０】
【発明の実施の形態】
以下本発明の実施形態を添付図面に基づいて説明する。
【００１１】
本発明の脱毛装置は手で把持できる器具本体Ａに毛を除毛するための脱毛手段を有するものであって、それぞれの脱毛ヘッドが独立して着脱自在となっているものである。
【００１２】
まず、図１乃至図１６には脱毛ヘッドが着脱自在である例が示してある。
【００１３】
器具本体Ａは本体ブロック１ａと駆動ブロック１ｂとで構成してある。図１乃至図４に示すように、本体ブロック１ａは前後二つ割りで形成されたハウジング１０内にモータ１１を固定するモータケース４を上下移動自在に組み込んであるとともにばね１８によって上方へばね付勢されることでモータケース４がフローティング支持して構成してある。ここで、ハウジング１０内面に設けた抜け止め突起１０ｂにモータケース４の上端部が当たってハウジング１０から上方に抜けないようになっている。ハウジング１０内の下端部には電源ジャック１４が内装され、また、ハウジング１０の外面にはスイッチ１５が設けてある。そしてハウジング１０が手に持つ部分、つまり把持部となっている。
【００１４】
図４に示すように、モータ１１を内装したモータケース４はコ字状をしており、モータケース４の側部にモータカバー４０１を取付けてあり、モータ１１の出力軸に圧入固定したピニオン１２と、モータカバー４０１に軸４０１ａにより回動自在に取付けた中間ギア１３とを噛合わせてモータ１１の回転を中間ギア１３に伝達している。モータカバー４０１の外面側にはギアカバー４０２が取付けられて上記ピニオン１２、中間ギア１３を覆っている。ここで、ギアカバー４０２はモータカバー４０１といっしょにねじ４０２ａによりモータケース４に取付けてある。
【００１５】
モータケース４の上面部には角筒状をしたトンネル部４ａが設けてあり、トンネル部４ａに両側からそれぞれ主体部分が矩形枠状をした保持フック１６の一端部をスライド自在にはめ込み、トンネル部４ａ内において対向する保持フック１６間にばね材１９を介在して両保持フック１６を互いに離れる方向に弾性付勢してあり、更に、保持フック１６には抜け止め突起１６ｃが設けてあって、抜け止め突起１６ｃがトンネル部４ａの上面部に設けた孔４ｂの端縁に当接自在となっていることで、保持フック１６がトンネル部４ａから抜けないようにしてある。また、保持フック１６の端部には略Ｕ字状をした弾性を有する第１のヒンジ部１６ｂが設けてあり、この第１のヒンジ部１６ｂの先端部の両側にそれぞれ逆Ｕ字状をした弾性を有する第２のヒンジ部１６ａが設けてあり、第２のヒンジ部１６ａが着脱釦１７の孔１７ａにはめ込んで取付けてある。ここで、上記第１のヒンジ部１６ｂは保持フック１６のスライド方向（本体ブロック１ａの左右方向）に対してＵ字状となっており、第２のヒンジ部１６ａは保持フック１６のスライド方向と直交する方向（本体ブロック１ａの前後方向）に逆Ｕ字状となっており、したがって、着脱釦１７は弾性を有して上下方向及び左右方向に変形自在な第１のＵ字状をしたヒンジ部１６ｂと弾性を有して上下方向及び前後方向に変形自在な第２の逆Ｕ字状をしたヒンジ部１６ａとを介して保持フック１６に連結してある。
【００１６】
一方、着脱釦１７は本体ブロック１ａを構成するハウジング１０の左右両側面部に設けた釦孔１０ｂに左右方向にスライド自在に取付けてある。したがって、本体ブロック１ａに対して着脱釦１７は左右方向にスライドするのみで上下方向、前後方向には移動せず、このため、モータケース４が上下移動しても着脱釦１７は本体ブロック１ａに対して上下移動せず、また、着脱釦１７を介して本体ブロック１ａ側にモータケース４側からの振動が伝達するのを第１のＵ字状をしたヒンジ部１６ｂと、第２の逆Ｕ字状をしたヒンジ部１６ａとで前後方向と左右方向との振動を吸収するようになっており、また、ばね１８により上下方向（スイング方向）の振動を吸収し、これにより全方向において本体ブロック１ａに振動が伝わるのを押さえ、使い勝手がよく、騒音を低くするようにしている。
【００１７】
また、主体が矩形枠状をした保持フック１６の枠状部分の開口１６ｅ内には中間ギア１３の上部が露出するようになっている。
【００１８】
駆動ブロック１ｂは図６に示すように、２つ割のサブハウジング５５に脱毛ヘッド２ａを有する複数の脱毛ブロック２Ａ、２Ｂを着脱自在に取り付けることで構成してある。
【００１９】
駆動ブロック１ｂは２つ割りのサブハウジング５５内に駆動ギア６２を配置し、この駆動ギア６２は軸６２ｂにより回転自在に取り付けてあり、サブハウジング５５の下面部に設けた取付け用係止部８ｂを本体ブロック１ａの取付け用被係止部１６ｄに後述のようにして取り付けることで、本体ブロック１ａ側に設けた中間ギア１３に一体に設けられたギア１３ａと噛合してモータ１１の動力が伝達するようになっている。サブハウジング５５内には更に駆動ギア６２に設けたギア６２ａと噛み合うギア６３が軸６３ｂにより回転自在に取り付けてある。また、サブハウジング５５の上端部には２組の係止フック５５ｄが設けてある。
【００２０】
上記のように駆動ギア６２とギア６３とを設けたサブハウジング５５の上部に１つの脱毛ヘッド２ａを設けた１ヘッド構造の脱毛ブロックが複数個独立して着脱自在に取り付けられるようになっている。つまり本実施形態においてはサブハウジング５５の上部に１ヘッド構造の脱毛ブロック２Ａ、２Ｂを２つ取り付けることで、２ヘッド構造の脱毛装置を構成するようになっている。
【００２１】
脱毛ヘッド２ａは図１１（脱毛ブロック２Ａの分解斜視図である）、図１２（脱毛ブロック２Ｂの分解斜視図である）、図１３、図１４に示すように、基台となる爪取付台５６に脱毛ヘッド２ａの回転軸５６ｊに平行に且つ円周に所定間隔で配置された複数個（実施形態では１８０度間隔で配置された２個）の爪ブロック体６９と、脱毛ヘッド２ａを回転させるために爪取付台５６に連結される爪取付台ギア６０とからなるものとして形成してある。
【００２２】
爪ブロック体６９は、図１３、図１４に示すように固定爪３ａと爪支持部６５ｄとを設けた爪支持部材６５と、可動爪３ｂと、可動爪３ｂを爪ブロック体６９の回転軸方向に揺動させるための一対の開閉レバー６７、６８とで構成してある。
【００２３】
爪支持部材６５は中央部が開口した長方形状をした枠体部６５ｂの開口部分に枠体部６５ｂの長手方向に一定間隔を隔てて固定爪３ａと爪支持部６５ｄとを交互に配設すると共に固定爪３ａと爪支持部６５ｄとの両端部をそれぞれ枠体部６５ｂに一体に形成してあり、また、枠体部６５ｂの長手方向の両端部の下面部にフック部６５ａが形成してある。ここで、固定爪３ａは枠体部６５ｂの両側枠部６５ｃよりも上方に突出しており、更に、固定爪３ａ及び爪支持部６５ｄの両端部は枠体部６５ｂの両側枠部６５ｃよりも内側に引き込んで位置している。
【００２４】
開閉レバー６７の前面には図１４に示すように一定間隔でスリット溝６７ａが形成してあり、また、開閉レバー６７の側面側の前後にそれぞれリブ６７ｂが設けてある。この前後のリブ６７ｂ間にはコイルスプリングのようなばね材６６が配置してあってばね材６６の両端部の各内側半分がリブ６７ｂに弾接してある。開閉レバー６８の前面には一定間隔でスリット溝６８ａが形成してあり、また、開閉レバー６８の他側面側の前後にリブ６８ｂが設けてある。この前後のリブ６７ｂ間にはコイルスプリングのようなばね材６６が配置してあってばね材６６の両端部の各内側半分がリブ６７ｂに弾接してある。そして、一対の開閉レバー６７、６８を向かい合わせた状態で、一対の、開閉レバー６７、６８をそれぞれ爪支持部材６５のフック部６５ａにスライド自在に嵌め込むものである。そして、爪支持部材６５の両側に設けた長孔６５ｅ内にそれぞればね材６６の外側半部を配設して、各ばね材６６の両端部の外側半部がそれぞれ長孔６５ｅの両端部の内側面に押し当ててある。この状態で、可動爪３ｂの突部３ｂ１が前後で反対側になるように、開閉レバー６７、６８のスリット溝６７ａ、６８ａに嵌め込む。このとき爪支持部材６５のフック部６５ａにスライド自在に嵌め込んだ状態で両開閉レバー６７、６８が外側から押されると、ばね材６６の一端部が長孔６５ｅの一端部から離れて一方のリブ６７ｂのみに支持されると共にばね材６６の他端部が他方のリブ６７ｂから離れて長孔６５ｅの他端部にのみ支持され、ばね材６６が圧縮されながら押し込まれ、可動爪３ｂが固定爪３ａと爪支持部６５ｄに設けられた支点部を支点として揺動し、また、開閉レバー６７、６８への押し力が解除されると、ばね材６６のばね力により開閉レバー６７、６８が逆方向に移動して、可動爪３ｂが逆方向に回動するものである。このように開閉手段と毛の把持部材が一つのブロック体として構成してある。
【００２５】
爪取付台５６には回転軸５６ｊと平行に且つ円周に所定間隔で複数の溝５６ａが設けてあり、この溝５６ａは回転軸５６ｊと平行な方向の両端部のうちの一方と、爪取付台５６の外面とに開口しており、また爪取付台５６の半径方向において溝５６ａの外面側の開口縁部に支持部５６ｂが設けてある。溝５６ａには前述のようにしてブロック化した爪ブロック体６９が軸方向の一端部の開口からスライドして嵌め込むことで組み込まれるものであり、この場合、溝５６ａ内の幅広となった部分に枠体部６５ｂの側枠部６５ｃが嵌め込まれて支持部５６ｂが側枠部６５ｃの外面側に当たって爪ブロック体６９が爪取付台５６の半径方向に支持され、回転軸５６ｊと直交する方向への抜け止めがなされることになる。また、爪ブロック体６９の長手方向（回転軸５６ｊと平行な方向）にも抜けないように構成してある。
【００２６】
上記の構成の脱毛ヘッド２ａが各脱毛ブロック２Ａ、２Ｂにそれぞれ軸５６ｊにより取り付けてある。
【００２７】
すなわち、図７、図１１に示すように、一方の脱毛ブロック２Ａは上下に開口を有するヘッドケース７２にギア５８が軸５８ｂにより回転自在に取り付けてあり、この一方の脱毛ブロック２Ａのヘッドケース７２内には爪取付台５６と爪ブロック体６９と爪取付台ギア６０とにより構成した上記構成の脱毛ヘッド２ａが回転軸５６ｊにより回転自在に取り付けてある。また、ヘッドケース７２内壁に設けた孔に固定した軸７１ａに対してローラ７１を回転自在に取り付けてカム手段が構成してあり、このカム手段により脱毛ヘッド２ａの回転における可動爪３ｂの揺動を行うようになっている。そして、脱毛ブロック２が爪取付台ギア６０によって回転し、爪ブロック体６９の一つが上方に回転してくると、当該開閉レバー６７、６８の端部がローラ７１によって押されて開閉レバー６７、６８が互いに内側に変位され、可動爪３ｂが爪支持部材６５に設けられた固定爪３ａと爪支持部６５ｄの支点部を支点として固定爪３ａを挟むようにして揺動され、これにより、固定爪３ａと可動爪３ｂとで毛を挟持し、脱毛ヘッド２ａが回転することで脱毛し、更に、脱毛ヘッド２ａが回転することで、当該脱毛ヘッド２ａの開閉レバー６７、６８がローラ７１から離れ、ばね材６６の弾性力により開閉レバー６７、６８が互いに離れる方向に移動し、これにより脱毛した毛を離すように構成してある。
【００２８】
脱毛ブロック２Ａのヘッドケース７２の下端部には係止溝７２ａが設けてある。そして、サブハウジング５５の２組の係止フック５５ｄのうち１組の係止フック５５ｄに上記一方の脱毛ブロック２Ａの係止溝７２ａを係止フック５５ｄの撓みを利用して着脱自在に係止して取り付けることができるようになっており、一方の脱毛ブロック２Ａを取り付けた状態で、ギア６３の一端部側にこの一方の脱毛ブロック２Ａのギア５８が噛み合って、ギア５８が回転することで爪取付台ギア６０を介して一方の脱毛ブロック２Ａの脱毛ヘッド２ａを回転するようになっている。
【００２９】
また、他方の脱毛ブロック２Ｂはギアを偶数設けて他方の脱毛ヘッド２ａが上記一方の脱毛ヘッド２ａと反対方向に回転するようになっている点、及び爪取付台ギア６０の位置が正面視で左右逆の位置となっている点が異なり、他の構成は上記一方の脱毛ブロック２Ａと同じ構成となっている。すなわち、図８、図１２に示すように、他方の脱毛ブロック２Ｂはヘッドケース７２にギア６４が軸６４ｂにより回転自在に取り付けてあり、このギア６４に噛み合うギア５９が軸５９ｂにより回転自在に取り付けてあり、ギア５９が脱毛ヘッド２ａの他方の端部に取り付けた爪取付台ギア６０と噛み合っている。そして、ヘッドケース７２の下面部に設けた係止溝７２ａをサブハウジングの２組の係止フック５５のうち他方の１組の係止フック５５ｄに着脱自在に係止して他方の脱毛ブロック２Ａをサブハウジング５５に取り付けた状態で、ギア６３の他端部側にこの他方の脱毛ブロック２Ｂのギア６４が噛み合って、ギア６４が回転することでギア５９、爪取付台ギア６０を介して脱毛ブロック２Ｂの脱毛ヘッド２ａを回転するようになっている。ここで、脱毛ブロック２Ａと脱毛ブロック２Ｂとはギア数が異なっており、一方がギア数が奇数の場合には、他方はギア数が偶数となっている。また、脱毛ブロック２ｂにも上記脱毛ブロック２ａの場合と同様に軸７１ａとローラ７１とで構成されたカム手段が設けてある。
【００３０】
図２、図９、図１０等に示すように、脱毛ブロック２Ａにおいては、ギア５８と爪取付台ギア６０とが同一垂直線上に位置しており（つまりギア５８の軸５８ｂと爪取付台ギア６０の軸５６ｊ）とが同一垂直線上に位置しており、また、脱毛ブロック２Ｂにおいては、ギア６４とギア５９と爪取付台ギア６０とが同一垂直線上に位置しており（つまりギア６４の軸６４ｂとギア５９の軸５９ｂと爪取付台ギア６０の軸５６ｊ）とが同一垂直線上に位置しており、この結果、図１０に示す脱毛ヘッド２Ａ、２Ｂの幅Ｍをギアが同一垂直線上に位置しないものに比べて短くできるものである。
【００３１】
しかして、駆動ブロック１ｂのサブハウジング５５に上記のようにして一方の脱毛ブロック２Ａと他方の脱毛ブロック２Ｂとを取り付けた場合、上記のように、脱毛ブロック２Ａと脱毛ブロック２Ｂとはギア数が異なるので、脱毛ブロック２Ａの脱毛ヘッド２ａと他方の脱毛ブロック２Ｂの脱毛ヘッド２ａとは互いに逆方向に回転して異方向の脱毛を行うものであって、毛が異方向に生えている部位で効率よく脱毛することができるものである。なお、２つの脱毛ヘッド２ａは爪ブロック体６９がそれぞれ上方に回転してくるタイミングがずらされており、一方が脱毛しているときは他方は肌を伸ばすようになっており、脱毛による痛みを低減し、また同時に多くの毛を引き抜かないので、負荷を低減できるようになっている。
【００３２】
また、図１５に示すように、上記脱毛ヘッド２Ａ又は脱毛ヘッド２Ｂのいずれか一方のみを駆動ブロック１ｂのサブハウジング５５に取り付けた場合には脱毛ブロックの脱毛ヘッド２が同一方向にのみ回転して同一方向の脱毛が行われるものであって、毛が同一方向に生えている部位における脱毛が効率よく行えることになり、また、いずれか一方の脱毛ヘッドのみを取り付けるので、両脱毛ヘッドを取り付ける場合に比べて、負荷が低減され、特に、電池駆動の場合の使用時間が延びるものである。
【００３３】
また、図１６に示すように、同種類の脱毛ブロック２を２つ（脱毛ブロック２Ａを２つ又は脱毛ブロック２Ｂを２つ）駆動動ブロックのサブハウジング５５に取り付けた場合には、それぞれの脱毛ブロックが同一方向回転をして同一方向の脱毛ができるものであり、毛が同一方向に生えている部位で毛の量が多い時によりスピーディに効率よく脱毛することができるものである。
【００３４】
次に、駆動ブロック１ｂを本体ブロック１ａに対して着脱する例につき説明する。本体ブロック１ａにフロート自在に内装されたモータケース４の上面部には横方向に移動自在な保持フック１６が設けてあり、駆動ブロック１ｂの下面部には取付け用係止部８ｂが設けてあり、取付け用係止部８ｂを保持フック１６の端部に設けた取付け用被係止部１６ｄに着脱自在に係止することで、駆動ブロック１ｂを本体ブロック１ａに対して着脱自在に取付けるのであるが、この場合、保持フック１６の端部に設けた取付け用被係止部１６ｄの上面部が傾斜面となっており、また、取付け用係止部８ｂの下端部も傾斜面となっており、更に、横方向に移動自在な保持フック１６がばね材１９により弾性付勢してあるので、駆動ブロック１ｂの下面部をモータケース４の上面部に押し当てることで、取付け用係止部８ｂの傾斜面が上記取付け用被係止部１６ｄの上面部の傾斜面に当たって、ばね材１９に抗して保持フック１６が横方向に移動することで、取付け用係止部８ｂが下方に押し込まれて取付け用被係止部１６ｄに係止するものである。このようにして駆動ブロック１ｂを本体ブロック１ａに対して取付けると、中間ギア１３に設けたギア１３ａが駆動ギア３２に噛み合うものである。上記駆動ブロック１ｂを本体ブロック１ａに対して取付ける際、両着脱釦１７を押して両保持フック１６をばね材１９に抗して互いに近付く方向に移動させて取付け用被係止部１６ｄをトンネル部４ａ内に没入させた状態で一対の取付け用係止部８ｂをトンネル部４ａの両側に位置させ、この状態で着脱釦１７を離すことで取付け用被係止部１６ｄを取付け用係止部８ｂに係止するようにしてもよい。
【００３５】
一方、駆動ブロック１ｂを取り外すには、両着脱釦１７を押すことで、ばね材１９に抗して両保持フック１６が互いに近付く方向に押され、これにより取付け用被係止部１６ｄが取付け用係止部８ｂから外れるので、この状態で駆動ブロック１ｂを上方に引き抜くことで取り外すことができるものである。
【００３６】
次に本発明の他の実施形態につき説明する。
【００３７】
すなわち上記実施形態においては、本体ブロック１ａと駆動ブロック１ｂとで構成された器具本体Ａに脱毛ヘッド２ａを備えた脱毛ブロック２Ａと脱毛ヘッド２ａを備えた脱毛ブロック２Ｂとをそれぞれ独立して着脱自在に取り付けた例（つまり器具本体Ａに複数の脱毛ヘッドを着脱自在に取り付けた例）を示しているが、本実施形態においては、図１７乃至図２０に示すように、器具本体Ａに独立して着脱自在に取り付ける複数個の脱毛ヘッド２ａの一つに代えてシェーバー９０を器具本体Ａに独立して着脱自在に取り付けるようにしたものである。本実施形態において、本体ブロック１ａと駆動ブロック１ｂとで構成された器具本体Ａの構成は前述の実施形態と同様の構成であるため、重複する説明は省略する。また、本体ブロック１ａに取り付ける脱毛ヘッド２ａを備えた脱毛ブロック２Ａ又は脱毛ヘッド２ａを備えた脱毛ブロック２Ｂの構成も前述の実施形態と同様であるので、重複する説明は省略する。図１７乃至図１９においては器具本体Ａの駆動ブロック１ｂに設けた２組の係止フック５５ｄのうち一方の係止フック５５ｄに前述の実施形態と同様にして脱毛ヘッド２ａを有する脱毛ブロック２Ａ、２Ｂのうちのいずれか一方の下面部に設けた係止溝７２ａを着脱自在に取り付けてある（図では脱毛ブロック２Ａを取り付けた例が示してある）。そして、残りの他方の係止フック５５ｄを利用してシェーバー９０を着脱自在に取り付けるようになっている。
【００３８】
シェーバー９０は図２０に示すようなものである。すなわち、上下に開口したシェーバ−ヘッドケース９１内に軸９２ｂによりギア９２を回転自在に取り付けてあり、更に、ギア９２に噛合する確動カムギア９３が軸９３ｂにより回転自在に取り付けてある。確動カムギア９３には確動カム９３ａが一体に設けてあり、確動カム９３ａの外周部には一本の確動カム溝９３ｃが周設してある。確動カム溝９３ｃに駆動杆９４の下部に設けられた凸部９４ａが係合してあり、確動カム９３ａが回転することで、駆動杆９４の凸部９４ａが確動カム溝９３ｃを移動することにより駆動杆９４が左右に往復運動し、この時駆動杆９４にばね９５を介して取り付けられている内刃９６が左右に往復運動するようになっている。なお、内刃９６はばね９５により上下方向にフロート自在となっている。シェーバ−ヘッドケース９１には外刃９８を設けた外刃基台９７が軸９７ａにより取り付けてあり、上記駆動杆９４にばね９５を介して取り付けられた内刃９６がばね９５により外刃９８に押し付けられた状態で外刃９８に対して左右方向に往復移動するものである。また、シェーバ−ヘッドケース９１の下面部には係止溝９１ａが設けてある。
【００３９】
上記のような構成のシェーバー９０は係止溝９１ａを利用して器具本体Ａの駆動ブロック１ｂに設けた２組の係止フック５５ｄのうち他方の係止フック５５ｄに着脱自在に係止することで図１８に示すように取り付けるものである。また、図１９には他の脱毛ブロック２Ｂとシェーバー９０とを器具本体Ａに取り付ける場合の例が図示してある。シェーバー９０を器具本体Ａに取り付けた状態では器具本体Ａの駆動ブロック１ｂに設けたギア６３にシェーバー９０に設けたギア９２が噛み合い、モータ１１の回転をギア６３を介してギア９２に伝達して上記のようにして駆動杆９４を左右方向に往復運動させて内刃９６を往復移動させて毛を切断するようになっている。一方、ギア６３の回転は一方の脱毛ブロック２Ａに設けたギア５８に伝達されて脱毛ヘッド２ａを回転することで、前述の実施形態と同様に毛を脱毛するようになっている。このように、器具本体Ａに独立して着脱自在に取り付ける複数個の脱毛ヘッド２ａの一つに代えてシェーバー９０を器具本体Ａに独立して着脱自在に取り付けることで、脱毛ヘッドによる脱毛と、シェーバー９０によって切断することによる除毛とが同時にでき、脱毛時に脱毛できない短い毛をシェーバー９０によってカットでき、一度の操作できれいに仕上げることができるものである。
【００４０】
【発明の効果】
本発明の請求項１記載の発明にあっては、上記のように、器具本体を手で持つ部分である把持部となり且つモータを備えた本体ブロックと、駆動ブロックとで構成し、駆動ブロックを本体ブロックに対して着脱自在に取り付け、開閉駆動されて毛を挟持する挟持要素を備えて毛を引き抜くための回転自在な脱毛ヘッドを有する複数の脱毛ブロックを駆動ブロックにそれぞれ独立して取り付け可能として脱毛範囲を可変可能としてあるので、毛の量や処理面積が多いときには、本体ブロックに着脱自在に取り付けた駆動ブロックに多数の脱毛ヘッドを取り付けて使用することにより脱毛を早く仕上げることができ、また、腋やひざまわりなどの窪んだ部位では脱毛ヘッドの数を少なくすることにより肌に密着させることができて、毛切れやぬき残しが少なくてスピーディに脱毛することができるものであり、また、毛の量が少ないときのように脱毛ヘッドが少なくてよい場合は、脱毛ヘッドの数を減らして使用することで、負荷が低減され、特に、電池駆動の場合の使用時間が延びるものであり、また、本体ブロックに駆動ブロックを取り付けた状態で、本体ブロックに設けたモータにより回転するギアに駆動ブロックに設けた駆動ギアを着脱自在に噛み合わせ、駆動ブロックに該駆動ギアの回転により回転する一つの共通のギアを設け、該駆動ブロックに設けた一つの共通のギアに、複数の脱毛ブロックに設けた脱毛ヘッドを回転させるためのギアをそれぞれ独立して着脱自在に噛み合わせ可能としてあるので、本体ブロックに設けたモータの回転を、本体ブロックに設けたギア、該ギアと噛み合う駆動ブロックに設けた駆動ギア、駆動ギアの回転により回転する一つの共通ギアを介して、着脱自在なそれぞれの脱毛ヘッドを駆動させるので、簡単な構造で脱毛ヘッドに確実に駆動伝達でき、また、着脱を容易に行うことができるものである。
【００４１】
また、請求項２記載の発明にあっては、上記請求項１記載の発明の効果に加えて、同一方向回転と異方向回転とを脱毛ヘッドの着脱により構成してあるので、容易に部位に応じて最適な脱毛ヘッドで効率よく脱毛できるものである。
【００４２】
また、請求項３記載の発明にあっては、上記請求項１記載の発明の効果に加えて、脱毛ヘッドに設けた回転伝達のためのギアを同一垂直線上に位置させることが好ましい。このような構成とすることで、脱毛ヘッドの幅を狭くできて、脱毛ブロックのコンパクト化が図れるものである。
【００４３】
また、請求項４記載の発明にあっては、上記請求項１記載の発明の効果に加えて、脱毛ヘッドの一つに代えてシェーバーを着脱自在としてあるので、脱毛時に脱毛できない短い毛をシェーバーでカットすることができて、より綺麗に仕上げることができるものである。
【図面の簡単な説明】
【図１】  本発明の正面断面図である。
【図２】  同上の側面断面図である。
【図３】  同上の本体ブロックの断面図である。
【図４】  同上の本体ブロックの分解斜視図である。
【図５】  同上の駆動ブロックに脱毛ブロックを取り付けた状態の断面図である。
【図６】  同上の駆動ブロックと２つ脱毛ブロックの分解断面図である。
【図７】  同上の駆動ブロックに一方の脱毛ブロックを取り付けた部分の断面図である。
【図８】  同上の駆動ブロックに他方の脱毛ブロックを取り付けた部分の断面図である。
【図９】  同上の駆動ブロックに２つの脱毛ブロックを取り付けた状態の断面図である。
【図１０】  同上の駆動ブロックに２つの脱毛ブロックを取り付ける状態を示す分解断面図である。
【図１１】  同上の一方の脱毛ブロックの分解斜視図である。
【図１２】  同上の他方の脱毛ブロックの分解斜視図である。
【図１３】  同上の爪ブロック体の斜視図である。
【図１４】  同上の爪ブロック体の分解斜視図である。
【図１５】  同上の器具本体に一つの脱毛ブロックのみを取り付けた例を示す側面断面図である。
【図１６】  同上の同一方向に回転する２つの脱毛ブロックを取り付けた状態の断面図である。
【図１７】  本発明の他の実施形態を示す側面断面図である。
【図１８】  同上の拡大側面断面図である。
【図１９】  同上の分解断面図である。
【図２０】  同上のシェーバーの分解斜視図である。
【符号の説明】
Ａ  器具本体
２Ａ  脱毛ブロック
２Ｂ  脱毛ブロック
２ａ  脱毛ヘッド
２ｂ  脱毛ヘッド
３ａ  固定爪
３ｂ  可動爪
【図１】
0003899696.tif 000002
【図２】
0003899696.tif 000003
【図３】
0003899696.tif 000004
【図４】
0003899696.tif 000005
【図５】
0003899696.tif 000006
【図６】
0003899696.tif 000007
【図７】
0003899696.tif 000008
【図８】
0003899696.tif 000009
【図９】
0003899696.tif 000010
【図１０】
0003899696.tif 000011
【図１１】
0003899696.tif 000012
【図１２】
0003899696.tif 000013
【図１３】
0003899696.tif 000014
【図１４】
0003899696.tif 000015
【図１５】
0003899696.tif 000016
【図１６】
0003899696.tif 000017
【図１７】
0003899696.tif 000018
【図１８】
0003899696.tif 000019
【図１９】
0003899696.tif 000020
【図２０】
0003899696.tif 000021